(57)【特許請求の範囲】
【請求項１】
グランド線である導体を含む複数本の平角導体を所定の並列ピッチで平面上に配列する配列工程と、
前記平角導体の配列面の両面から前記平角導体に絶縁フィルムを貼着してフラットケーブルを形成する絶縁フィルム貼着工程と、
前記絶縁フィルムの一部が除去された窓部で露出されたグランド線を切断する導体切断工程と、
切断した前記グランド線を前記絶縁フィルムの外側に前記グランド線が露出されるように折り返す折り返し工程と、
前記フラットケーブルの外側にシールド層を貼着して折り返した前記グランド線と前記シールド層とを電気的に接続する接続工程と、を有するシールドフラットケーブルの製造方法であって、
前記導体切断工程において、前記平角導体の幅以上の開口部を有する載置板上に、切断対象の前記グランド線が前記開口部に配置されるように前記フラットケーブルの前記窓部を載置させ、押圧部材によって前記グランド線を押圧して前記開口部内へ押し込み、前記載置板の下方側で前記フラットケーブルの幅方向へ沿って配設された切断刃に前記グランド線を押し付けて切断することを特徴とするシールドフラットケーブルの製造方法。
【請求項２】
請求項１に記載のシールドフラットケーブルの製造方法であって、
前記窓部は、一方の面で前記絶縁フィルムの一部を除去して形成し、
前記導体切断工程において、前記窓部における前記グランド線の幅方向両側の前記絶縁フィルムを前記グランド線に沿って予め切断しておくことを特徴とするシールドフラットケーブルの製造方法。
【請求項３】
請求項１または２に記載のシールドフラットケーブルの製造方法であって、
前記載置板を弾性材料から形成された台座上に設け、前記切断刃を前記台座に形成されたスリット内に配置しておくことを特徴とするシールドフラットケーブルの製造方法。
【発明の詳細な説明】
【技術分野】
【０００１】
本発明は、シールドフラットケーブルの製造方法に関する。
【背景技術】
【０００２】
限られたスペースに高密度の配線が可能な配線部材としては、可撓性の回路基板や平角導体を用いたフラットケーブル、また、これらの接続に用いられる電気コネクタ等がある。オーディオ，ビデオ等の民生機器、プリンター，スキャナ，複写機等のＯＡ機器、ＤＶＤ，ＣＤ‐ＲＯＭ，ＭＯ，ＰＣ、その他の電子機器用配線等、ノイズ対策を必要とする製品の機内配線には、シールド機能を備えたシールドフラットケーブルが使用されている。
【０００３】
フラットケーブルは、複数本の平角導体を一平面上に配列し、その配列面の両側からそれぞれ絶縁フィルムをラミネートしたものである。シールドフラットケーブルの場合、ラミネートした絶縁フィルムの外側に金属箔等のシールド層が設けられる。複数本の平角導体のうち一部はグランド線であり、グランド線とシールド層が電気的に接続された構造を有している。
【０００４】
例えば、特許文献１に記載のシールドフラットケーブルは、図１９に示すように、複数本の平角導体１１２が横一列に、互いに平行に、等ピッチで配置され、それらの上下両側が絶縁性接着層１１６と絶縁層１１４を有するプラスチックフィルム（絶縁フィルム）で被覆されてフラットケーブル１１０とされ、該フラットケーブル１１０に、最外層をＰＥＴなどの絶縁層１２２、中層をＣｕやＡｌなどの金属層（シールド層）１２４、最内層を絶縁性接着層１２６としたシールド被覆テープ１２０が被覆されて構成されている。平角導体１１２のうち、左右両端のものが、接地導体（グランド線）１１２ａとされている。このシールドフラットケーブルは、図２０に示すように、接地導体１１２ａの上部位置の場所に長手方向で複数箇所、接合部１２１が設けられている。この接合部１２１では、シールド被覆テープ１２０の金属層１２４が絶縁性接着層１２６を介さずに直接接地導体１１２ａと接続されている。
【０００５】
このシールドフラットケーブルを製造する際には、プラスチックフィルムのラミネート前に、予め接地導体１１２ａの直上にあたる部分の絶縁性接着層１１６および絶縁層１１４を予め金型などで穴を開けておくか、または、プラスチックフィルムのラミネート後であってシールド被覆テープ１２０のラミネート前に、接地導体１１２ａの直上にあたる絶縁性接着層１１６および絶縁層１１４の部分にレーザ等で予め穴を開けておく。そして、その穴の部分でシールド被覆テープ１２０の金属層１２４と接地導体１１２ａとを電気的に接続させる。
【先行技術文献】
【特許文献】
【０００６】
【特許文献１】特開２００５−９３１７８号公報
【発明の概要】
【発明が解決しようとする課題】
【０００７】
平角導体に絶縁フィルムをラミネートする際には、長尺の複数本の平角導体を平面上に整列させた状態で走行させ、それに合わせて長尺の絶縁フィルムを走行させつつ平角導体を挟むようにして配列面の両側から貼り合わせる。そのため、上記のようにラミネート前に絶縁フィルムに穴を開けた場合、走行する平角導体の位置ずれ、走行する絶縁フィルムの位置ずれ、絶縁フィルム内の穴の位置ずれ、などの要因により、ラミネータ（貼り合わせ部）の箇所で穴の位置をグランド線上に正確に位置合わせすることが難しく、幅方向にずれてしまうことがある。例えば、平角導体の並列ピッチが０．５ｍｍである場合に、幅方向の位置ずれ量が０．２ｍｍ以上となると、グランド線以外の平角導体（信号線や給電線）がシールド層に接続され接地されてしまう。
【０００８】
また、絶縁フィルムのラミネート後にレーザで穴を開けても、その穴の内側で樹脂の滓が出て、完全に穴が開かないことがある。特に、絶縁フィルムの接着層がポリエステル系である場合にこの問題が顕著となる。穴の形成が不完全であると、グランド線とシールド層との接触不良が生じてシールド層の接地が不十分になる。シールド層の接地が不十分であると、ノイズが乗り易いなど、十分なシールド特性が得られなくなる。特に、平角導体の並列ピッチが狭ピッチ（０．５ｍｍ以下）であると穴の開口部が狭く、滓が邪魔となって接触不良となるおそれが大きい。
【０００９】
そこで、本発明の目的は、グランド線とシールド層との接触が良好でシールド層の接地が確実なシールドフラットケーブルの製造方法を提供することにある。
【課題を解決するための手段】
【００１０】
上記課題を解決することのできる本発明に係るシールドフラットケーブルの製造方法は、グランド線である導体を含む複数本の平角導体を所定の並列ピッチで平面上に配列する配列工程と、
前記平角導体の配列面の両面から前記平角導体に絶縁フィルムを貼着してフラットケーブルを形成する絶縁フィルム貼着工程と、
前記絶縁フィルムの一部が除去された窓部で露出されたグランド線を切断する導体切断工程と、
切断した前記グランド線を前記絶縁フィルムの外側に前記グランド線が露出されるように折り返す折り返し工程と、
前記フラットケーブルの外側にシールド層を貼着して折り返した前記グランド線と前記シールド層とを電気的に接続する接続工程と、を有するシールドフラットケーブルの製造方法であって、
前記導体切断工程において、前記平角導体の幅以上の開口部を有する載置板上に、切断対象の前記グランド線が前記開口部に配置されるように前記フラットケーブルの前記窓部を載置させ、押圧部材によって前記グランド線を押圧して前記開口部内へ押し込み、前記載置板の下方側で前記フラットケーブルの幅方向へ沿って配設された切断刃に前記グランド線を押し付けて切断することを特徴とする。
【００１１】
本発明のシールドフラットケーブルの製造方法において、前記窓部は、一方の面で前記絶縁フィルムの一部を除去して形成し、
前記導体切断工程において、前記窓部における前記グランド線の幅方向両側の前記絶縁フィルムを前記グランド線に沿って予め切断しておくことが好ましい。
【００１２】
本発明のシールドフラットケーブルの製造方法において、前記載置板を弾性材料から形成された台座上に設け、前記切断刃を前記台座に形成されたスリット内に配置しておくことが好ましい。
【発明の効果】
【００１３】
本発明によれば、グランド線とシールド層を電気的に接続する箇所は、グランド線を切断して絶縁フィルムの外側に折り返して露出された部分であるため、平角導体の配列面に絶縁フィルムを貼着するときの幅方向の位置ずれが生じても、折り返したグランド線上にシールド層を確実に接続させることができ、確実にシールド層を接地することができる。
また、導体切断工程において、切断対象のグランド線が開口部に配置されるようにフラットケーブルの窓部を載置板上に載置させ、載置板の反対側から押圧部材によってグランド線を押圧して開口部内へ押し込み、切断刃にグランド線を押し付けることにより、他の平角導体を切断したり損傷させてしまうような不具合なく、切断対象のグランド線だけを的確に切断することができる。
【図面の簡単な説明】
【００１４】
【図１】本実施形態のシールドフラットケーブルの一方の面を示す平面図である。
【図２】本実施形態のシールドフラットケーブルの他方の面を示す平面図である。
【図３】図１および図２の矢視Ａ−Ａ断面図である。
【図４】図１および図２の矢視Ｂ−Ｂ断面図である。
【図５】図１および図２の矢視Ｃ−Ｃ断面図である。
【図６】本実施形態の製造方法において絶縁フィルム貼着工程を示す模式的な斜視図である。
【図７】本実施形態の製造方法における絶縁フィルム貼着工程後の長尺フラットケーブルを示す平面図である。
【図８】本実施形態の製造方法における絶縁フィルム貼着工程後の長尺フラットケーブルの他の例を示す平面図である。
【図９】本実施形態の製造方法におけるメッキ工程を示す模式図である。
【図１０】本実施形態の製造方法における切断工程後のフラットケーブルを示す平面図である。
【図１１】図８の部分側面図である。
【図１２】本実施形態の製造方法における折り返し工程後のフラットケーブルを示す平面図である。
【図１３】本実施形態の製造方法における導体切断工程を示す図であって、（ａ）は切断箇所における幅方向の断面図、（ｂ）は切断箇所における長手方向の断面図である。
【図１４】本実施形態の製造方法における導体切断工程を示す図であって、（ａ）は切断箇所における幅方向の断面図、（ｂ）は切断箇所における長手方向の断面図である。
【図１５】本実施形態の製造方法における導体切断工程を示す図であって、（ａ）は切断箇所における幅方向の断面図、（ｂ）は切断箇所における長手方向の断面図である。
【図１６】本実施形態とは異なる導体切断作業を説明する図であって、（ａ）（ｂ）はそれぞれ切断箇所における幅方向の断面図である。
【図１７】本実施形態の製造方法における追加絶縁工程後のフラットケーブルの一方の面を示す平面図である。
【図１８】本実施形態の製造方法における追加絶縁工程後のフラットケーブルの他方の面を示す平面図である。
【図１９】従来のシールドフラットケーブルの一例を示す断面図である。
【図２０】図１９に示したシールドフラットケーブルの他の部分の断面図である。
【発明を実施するための形態】
【００１５】
以下、本発明に係るシールドフラットケーブルの製造方法の実施形態の例について図面を参照して説明する。
図１から図５に示すように、シールドフラットケーブル１は、複数本（本実施形態では１０本）の平角導体２を備え、これら平角導体２が所定の並列ピッチで平面上に配列され、平角導体２の配列面の両面にそれぞれ第１絶縁体を含む第１絶縁フィルム３が貼着（ラミネート）されている。なお、図３から図５は、図１に示す一方の面を上側にして図示している。第１絶縁フィルム３の外側には、シールド層９を有するシールドフィルム７が貼着されている。シールドフラットケーブル１の長手方向の両端部は、一方の面（図１に示す面）で複数本の全ての平角導体２が露出した導体露出部１５とされ、他方の面（図２に示す面）にのみ第１絶縁フィルム３が貼着されており、導体露出部１５は電気コネクタの弾性コンタクト片等に接続可能な接続端末として機能する。また、導体露出部１５の平角導体２が露出していない側の面（他方の面）には、図２および図１１に示すようにポリエステル等の絶縁樹脂からなる端末補強テープ１４が貼着されており、露出した平角導体２を支持して変形を防止している。
【００１６】
また、導体露出部１５を除くシールドフラットケーブル１の長手方向の一部で、一方の面側の第１絶縁フィルム３に窓部６が設けられている。導体露出部１５と窓部６を除く部分では、平角導体２の両面に第１絶縁フィルム３が貼着されているが、窓部６では平角導体２の一方の面に第１絶縁フィルム３が貼着されていない。１０本の平角導体２のうち、並列幅方向の両端から２番目にそれぞれグランド線２ａが配置されている。グランド線２ａ以外の平角導体２は信号線または給電線であり、窓部６において、平角導体２には第２絶縁体を含む第２絶縁フィルム１１が貼着されている。
【００１７】
平角導体２は、断面長方形に形成された銅基材上に錫メッキ層が積層された構造とされている。本実施形態では、銅基材の外周全域に錫メッキ層が形成されている。銅基材としては、銅または銅合金が用いられる。また、接続端末となる導体露出部１５では、電気接触のための圧縮応力を受けることに起因して平角導体２の表面に針状結晶体（ウィスカ）が発生することがあるため、ウィスカの発生を抑制するために平角導体２に金メッキが施されている。金メッキを施すことにより、ウィスカが発生せず、狭いピッチで並べられた各平角導体２が短絡することなく、平角導体２と電気コネクタとの電気接続の信頼性が向上する。
本実施形態において、平角導体２の厚さは０．０３５ｍｍであり、平角導体２の幅Ｗ１は０．３ｍｍであり、１０本の平角導体２の並列ピッチＰは０．５ｍｍである。
【００１８】
第１絶縁フィルム３は、第１絶縁体である絶縁樹脂層５と絶縁性接着層４からなり、例えば、絶縁樹脂層５はポリエステルまたはポリイミドあるいはＰＰＳ等の樹脂であり、絶縁性接着層４はポリエステル系接着剤もしくは難燃ＰＶＣである。平角導体２に対して、絶縁性接着層４の面を対向させて２枚の第１絶縁フィルム３が貼り合わされている。これにより、平角導体２同士の電気的絶縁を図っている。
【００１９】
シールドフィルム７は、導電性接着層８とシールド層９と樹脂層１０からなり、例えば、導電性接着層８は導電フィラー含有接着剤であり、シールド層９はアルミまたは銅であり、樹脂層１０はＰＥＴ等のポリエステルである。導電性接着層８はシールド層９とグランド線２ａの良好な導電性接続を図り、シールド層９によりシールドフラットケーブル１のシールド効果を発生させている。樹脂層１０はシールド層９の剥離や腐食を防止して、シールドフラットケーブル１の信頼性維持を図っている。
【００２０】
シールドフィルム７は、図３から図５に示すようにシールドフラットケーブル１の全周を覆うように１枚を巻きつけて貼着する他、第１絶縁フィルム３と同様に２枚を対向させて貼り合わせても良い。
【００２１】
図３に示すように、シールドフラットケーブル１の長手方向の大部分では全ての平角導体２に対して第１絶縁フィルム３が貼着されているが、図１および図４に示すようにシールドフラットケーブル１の長手方向の一部では、一方の面に第１絶縁フィルム３が貼着されていない窓部６が設けられている。窓部６は、その幅方向の長さが、少なくとも平角導体２の並列ピッチＰ以上とされており、本実施形態では並列した平角導体２に対して第１絶縁フィルム３が貼着された全幅にわたっている。
【００２２】
この窓部６において、グランド線２ａは他方の第１絶縁フィルム３とともに切断されており、窓部６の縁部における他方の第１絶縁フィルム３の外側に折り返されている。図１および図５に示すように、折り返されたグランド線２ａの折り返し部２ｂは、シールドフィルム７の導電性接着層８に接着され、シールド層９とグランド線２ａの導電性接続が図られている。
【００２３】
また、図１および図４に示すように、窓部６において、第１絶縁フィルム３とは別の追加絶縁フィルムとして第２絶縁フィルム１１が窓部６を覆うように貼着されている。グランド線２ａが窓部６の長さ方向の端よりも内側で折り曲げられている場合は、グランド２ａの折り曲げられなかった部分も第２絶縁フィルム１１で覆われる。これにより、窓部６では、平角導体２は一方の面側が第２絶縁フィルム１１により覆われて電気的に絶縁され、他方の面側が第１絶縁フィルム３により覆われて電気的に絶縁されている。
【００２４】
第２絶縁フィルム１１は、第１絶縁フィルム３と同様のものを使用できる。例えば、第２絶縁フィルム１１は第２絶縁体である絶縁樹脂層１３と絶縁性接着層１２からなり、絶縁樹脂層１３はポリエステルまたはポリイミドあるいはＰＰＳ等の樹脂であり、絶縁性接着層１２はポリエステル系接着剤もしくは難燃ＰＶＣである。
【００２５】
第２絶縁体は、窓部６で露出した信号線や給電線の平角導体２を絶縁できるものであればよく、フィルムの形態に限られない。例えば、第２絶縁体としてインクや塗工材等の絶縁材料を使用することもできる。
【００２６】
なお、第１絶縁フィルム３および第２絶縁フィルム１１の絶縁樹脂層５，１３がポリイミドであると、フィルムの形状精度が良好であり、窓部６等を精度良く形成できる。
【００２７】
また、第２絶縁フィルム１１の材質および厚さの例としては、０．０３５ｍｍ厚のポリイミドテープ、０．０２２ｍｍ厚のポリエステルテープ、０．０２０ｍｍ厚のＰＰＳテープ、０．０２５ｍｍ厚のポリイミドテープ、等を例示できる。第２絶縁フィルム１１の絶縁性接着層１２には、アクリル系樹脂も使用できる。
【００２８】
次に、上記構造のシールドフラットケーブル１を製造する製造方法について、その手順に沿って説明する。
【００２９】
まず、銅基材の表面に錫メッキ層が形成された断面長方形の平角導体２（グランド線２ａを含む）を複数本（本実施形態では１０本）用意する。
【００３０】
次いで、図６に示すように、それぞれ長尺の平角導体２が巻き取られている複数のリール３０から平角導体２を送り出して所定の並列ピッチＰで同一平面上に配列する（配列工程）。そして、これら平角導体２の上下に、リール３１から長尺の第１絶縁フィルム３を送り出してヒータローラ３２間に通し、巻き取りローラ３３に巻き取る（絶縁フィルム貼着工程）。
【００３１】
絶縁フィルム貼着工程の際、第１絶縁フィルム３の互いの対向面は絶縁性接着層４側とする。つまり、ヒータローラ３２の間を通過することにより、第１絶縁フィルム３の絶縁性接着層４が溶融し、平面上に配列された複数本の平角導体２には、表裏から第１絶縁フィルム３が絶縁性接着層４によって貼り合わされ、これら平角導体２が平面上に配列されて絶縁樹脂（絶縁樹脂層５と絶縁性接着層４）で被覆された一連長の長尺フラットケーブルが形成される。
【００３２】
ここで、長尺フラットケーブル１Ａの一部を図７に示す。長尺フラットケーブル１Ａは、図１に示した導体露出部１５と窓部６とを設けるために、一方の第１絶縁フィルム３の長手方向の一部に開口した導体露出窓部１５ａと窓部６が形成されている。導体露出窓部１５ａはシールドフラットケーブル１の長手方向の端部となる箇所に設けられ、窓部６は導体露出窓部１５ａ以外の箇所、例えばシールドフラットケーブル１の長手方向の略中央部となる箇所に設けられている。導体露出窓部１５ａの幅Ｗ２は、全ての平角導体２が露出するように平角導体２の並列幅より大きくされており、窓部６の幅Ｗ３は、少なくともグランド線２ａに第１絶縁フィルム３を貼着しないよう、グランド線２ａ上の位置で並列ピッチＰ以上の幅を有するように設定される。本実施形態では、Ｗ２とＷ３を同等の幅に設定している。すなわち、本実施形態では窓部６においても全ての平角導体２に第１絶縁フィルム３を貼着しない形状に開口されている。なお、並列ピッチＰ以上の幅を設けてグランド線２ａのみを露出させる位置に窓部６を設けても良い。
【００３３】
平角導体２に第１絶縁フィルム３を貼着する際には、第１絶縁フィルム３と平角導体２の位置が幅方向にずれることがある。そのずれ量より窓部６の幅Ｗ３が小さいと、グランド線２ａが第１絶縁フィルム３により覆われて露出しなくなってしまうため、窓部６の幅Ｗ３をそのずれ量より大きくなるように設定する。図６に示したようなラミネータは、通常、第１絶縁フィルム３が貼着される間の位置ずれを最大でも平角導体２の並列ピッチＰ未満にするように精度設計されている。そのため、本実施形態では窓部６の幅Ｗ３を少なくとも並列ピッチＰ以上の幅としており、第１絶縁フィルム３を貼着する際に第１絶縁フィルム３と平角導体２の位置が幅方向に多少ずれたとしても、長手方向における窓部６の位置でグランド線２ａに第１絶縁フィルム３が貼着されることは防がれる。したがって、後の工程でグランド線２ａとシールド層９との電気的接続を確実に行うことができる。
また、窓部６の長さＬ１（図１，図７参照）は、第１絶縁フィルム３による絶縁効果を十分に得るためにシールドフラットケーブル１の長さの半分以下とするのが良い。また、窓部６はシールドフラットケーブル１の長手方向に複数設けられていても良い。
【００３４】
このように、上記絶縁フィルム貼着工程では、予め開口した窓部６および導体露出窓部１５ａを有する第１絶縁フィルム３を平角導体２の長手方向に沿って連続的に貼着することで、導体露出窓部１５ａおよび窓部６を形成しているが、図８に示すように、短尺の第１絶縁フィルム３を平角導体２の長手方向に沿って間欠的に貼着することで、導体露出窓部１５ａおよび窓部６を形成しても良い。
【００３５】
絶縁フィルム貼着工程の後、第１絶縁フィルム３の幅方向の余剰部分（耳と呼ばれる部分）を除去するために、図７および図８に示した破線Ｃ１で示す位置で切断される。これにより、窓部６および導体露出窓部１５ａの幅方向両端部で第１絶縁フィルム３が長手方向に繋がった箇所が除去される。
【００３６】
導体露出部１５の平角導体２に金メッキ等のメッキを行う場合、長尺フラットケーブルのままでメッキ工程を行う。
このメッキ工程では、図９に示すように、メッキ液槽２０に、長尺フラットケーブル１Ａを間欠的に送り込んで浸漬させ、長尺フラットケーブル１Ａの導体露出部１５の部分に露出する平角導体２に電気メッキを施している。露出する平角導体２にメッキ金属を付着させるために、少なくとも１箇所の導体露出部１５で、露出する全ての平角導体２と交差する導電部材２３で接続一体化して電気的に接続する。長尺フラットケーブル１Ａをメッキ液に漬けたときに導電部材２３をメッキ液の外で電気クリップ等でメッキ電源２１の負電位側に接続し、メッキ液に浸したメッキ金属材２２をメッキ電源２１の正電位側に接続する。
【００３７】
長尺フラットケーブル１Ａは、メッキ液槽２０内に連続的に送り込んで浸漬させる（連続メッキ）他に、メッキ液槽２０に収まる程度の長さに分断して浸漬させるようにしても良い。
【００３８】
導体露出部１５に施すメッキは、この端末部分でのウィスカの発生を抑制することと、あるいは端末部分と電気コネクタとの電気接続の信頼性を高めるためのもので、好ましくは金メッキが施される。但し、錫メッキ上に直接金メッキを施すと、異種金属接触による電食が生じ、長期の使用に耐えられないおそれがある。このため、下地金属としてニッケルメッキを施してから金メッキを施すようにするのが良い。
【００３９】
また、メッキ工程において、導体露出部１５だけでなく窓部６にもメッキを施してもよい。その場合、長尺フラットケーブル１Ａをメッキ液槽２０内に連続的に送り込んで浸漬させることができ、効率的である。もしくは、窓部６をテープ等で一時的にマスキングした状態で連続的にメッキを施しても良い。
【００４０】
このように形成された長尺フラットケーブル１Ａは、図７および図８に示した導体露出部１５の破線Ｃ２で示す位置で切断され、図１０に示すように所定の長さのフラットケーブル１Ｂとされる（切断工程）。
【００４１】
長尺フラットケーブル１Ａを切断した図１０のフラットケーブル１Ｂには、図１１に示すように導体露出部１５の一方の面に平角導体２を支持するように端末補強テープ１４を貼着する。一方の第１絶縁フィルム３を残してその上から端末補強テープ１４を貼ることもある。
【００４２】
次いで、図１０に破線Ｃ３で示すように、窓部６におけるグランド線２ａと、グランド線２ａの周囲の第１絶縁フィルム３を切断する（導体切断工程）。そして、図１２に示すように、窓部６内のグランド線２ａを、切断した第１絶縁フィルム３とともに、窓部６とは反対側の第１絶縁フィルム３の外側（他方の面の外側）に折り返して、グランド線２ａの折り返し部２ｂを形成する（折り返し工程）。これにより、折り返し部２ｂが折り返し前に位置していた箇所は、フラットケーブル１Ｂの両面が開口して貫通した空隙部６ａとなる。なお、図１２は図１とは反対側から見た図である。
【００４３】
ここで、窓部６におけるグランド線２ａを切断する導体切断工程について説明する。まず、それぞれのグランド線２ａの両側部における第１絶縁フィルム３を、例えば、ＣＯ２レーザによって切断する。次に、それぞれのグランド線２ａを、図１３（ａ），（ｂ）に示す切断具３１によって切断する。
【００４４】
切断具３１は、切断台３２と、この切断台３２の上方に配置された押圧部３３とを有している。切断台３２は、ゴム等から形成された台座４１を備えており、この台座４１の上部には、厚さ０．５ｍｍ程度の、例えば、ステンレス板などの金属板または硬質の樹脂板からなる載置板４２が配置されている。そして、この台座４１の上部に、フラットケーブル１Ｂが載置される。切断台３２の台座４１には、図１３（ｂ）に示すように、載置されるフラットケーブル１Ｂの幅方向に沿ってスリット４３が形成されており、このスリット４３の内側には、切断刃４４が配置されている。切断刃４４は、その刃先４４ａが上方へ向けられており、刃先４４ａは、台座４１の上面よりも僅かに下方に配置されている。
台座４１の上面に設けられた載置板４２には、載置されるフラットケーブル１Ｂのグランド線２ａに対応する箇所に、開口部４２ａが形成されている。また、載置板４２の上部には、その両側部に、移動規制突起４５が設けられている。
【００４５】
切断台３２の上方に配置された押圧部３３は、切断対象のグランド線２ａの本数と同数の押圧部材５１を有している。これら押圧部材５１は、例えば、ポリエチレンテレフタレート（ＰＥＴ）などの樹脂から形成されており、それぞれ切断台３２へ向かって突出されている。押圧部材５１は、切断台３２に対して接離可能に設けられた保持部材５２の取付穴５２ａに嵌合されて固定されている。押圧部材５１は、平角導体２の幅Ｗ１以上の幅寸法を有しており、平角導体２の幅Ｗ１よりも０．３ｍｍから０．５ｍｍ程度大きいことが好ましい。保持部材５２の取付穴５２ａは、フラットケーブル１Ｂの平角導体２の並列ピッチＰと同一ピッチに配置されており、各平角導体２に対応した位置に押圧部材５１が取付可能である。本実施形態では、平角導体２のうちの切断対象のグランド線２ａに対応した位置の取付穴５２ａに押圧部材５１が取り付けられている。
【００４６】
上記切断具３１を用いてフラットケーブル１Ｂのグランド線２ａを切断するには、まず、フラットケーブル１Ｂを、窓部６を上方へ向けて切断台３２の載置板４２上に載せる。このとき、フラットケーブル１Ｂの窓部６におけるそれぞれのグランド線２ａを、載置板４２の開口部４２ａにそれぞれ配置させるとともに、グランド線２ａの切断する箇所を、切断刃４４の上部に配置させる。
【００４７】
次に、押圧部３３を切断台３２へ向かって押し下げる。すると、図１４（ａ），（ｂ）に示すように、押圧部材５１の先端部が載置板４２上に載置されたフラットケーブル１Ｂのグランド線２ａに当接する。
さらに、押圧部３３を押し下げると、図１５（ａ），（ｂ）に示すように、それぞれの押圧部材５１によってそれぞれのグランド線２ａが下方へ押圧される。すると、これらグランド線２ａが、ゴムからなる台座４１を変形させながら下方へ押し下げられ、それぞれのグランド線２ａの第１絶縁フィルム３及びグランド線２ａが切断刃４４の刃先４４ａへ順に押し付けられて切断される。
【００４８】
また、それぞれのグランド線２ａが切断刃４４によって切断された時点で、押圧部３３の保持部材５２が、載置板４２の上部に設けられた移動規制突起４５に当接し、押圧部３３の切断台３２側への移動が規制される。これにより、切断刃４４が押圧部材５２に大きく切れ込むことが防止される。
押圧部３３を押し下げてグランド線２ａを切断したら、押圧部３３を引き上げ、フラットケーブル１Ｂを切断具３１から取り外し、前述の折り返し工程に移行する。
【００４９】
図１６（ａ）に示すように、フラットケーブル１Ｂのグランド線２ａを、その窓部６側からカッタＣによって切断すると、グランド線２ａを完全に切断した際に、図１６（ｂ）に示すように、カッタＣが他の平角導体２に接触して損傷させてしまうことが考えられる。本実施形態では、上記の切断具３１を用いることにより、他の平角導体２を損傷させることなく、グランド線２ａだけを的確に切断することができる。
【００５０】
折り返し工程の次には、図１７に示すように、窓部６において露出したグランド線２ａ以外の平角導体２を覆うように、窓部６の全面を覆うように追加絶縁フィルムである第２絶縁フィルム１１を貼着する（追加絶縁工程）。第２絶縁フィルム１１の貼着は、熱貼着により行う。第２絶縁フィルム１１を貼着する作業は、前記の絶縁フィルム貼着工程とは異なり、短尺のフラットケーブル１Ｂに対して個々に行うものであるため、例えばフラットケーブル１Ｂをおいた状態で第２絶縁フィルム１１を貼着することができる。そのため、貼着する時にフラットケーブル１Ｂや第２絶縁フィルム１１が位置ずれすることなく、正確な位置に第２絶縁フィルム１１を貼着することができる。
【００５１】
また、第２絶縁フィルム１１を貼着するのは、窓部６によりグランド線２ａ以外の平角導体２が露出した一方の面側のみでも良いが、図１８に示すように、折り返し部２ｂを形成した他方の面側における窓部６の裏側にも第２絶縁フィルム１１を貼着しても良い。そのとき、折り返し部２ｂの全体が第２絶縁フィルム１１により覆われないようにして、空隙部６ａを覆う程度とする。また、第２絶縁フィルム１１を両面に１枚ずつ貼り合わせても良いが、１枚を両面に巻き付けるようにしても良い。
【００５２】
追加絶縁工程の後、図１から図５に示したように、導体露出部１５およびその近傍を除く部分にシールドフィルム７を貼着する（シールド層貼着工程）。シールドフィルム７の貼着は、１枚を両面に巻きつけても良いし、１枚ずつを両面に貼り合わせても良い。シールドフィルム７を貼着すると、他方の面において第１絶縁フィルム３の外側に折り返されて露出したグランド線２ａの折り返し部２ｂが、シールドフィルム７のシールド層９と電気的に接続される（接続工程）。また、グランド線２ａ以外の平角導体２は、両端の導体露出部１５を除いて第１絶縁フィルム３および第２絶縁フィルム１１により覆われており、シールド層９とは絶縁されている。
【００５３】
本実施形態ではシールドフィルム７に導電性接着層８が設けられているため、シールド層貼着工程の際に導電性接着層８が折り返し部２ｂに接着されて、シールド層貼着工程と同時に接続工程が行われる。導電性接着層８がない場合には、シールド層貼着工程の後に、溶接等によりシールド層９を折り返し部２ｂに接続することが必要となる。
【００５４】
以上説明したように、本実施形態のシールドフラットケーブルの製造方法は、グランド線２ａとシールド層９を電気的に接続する箇所を、グランド線２ａを切断して第１絶縁フィルム３の外側に折り返して露出させた部分としているため、平角導体２の配列面に第１絶縁フィルム３を貼着するときの幅方向の位置ずれが生じても、グランド線２ａを折り返して形成した折り返し部２ｂ上にシールド層９を確実に接続させることができ、確実にシールド層９を接地することができる。
【００５５】
また、グランド線２ａを切断する導体切断工程において、切断対象のグランド線２ａが開口部４２ａに配置されるようにフラットケーブル１Ｂの窓部６を載置板４２上に載置させ、載置板４２の反対側から押圧部材５１によってグランド線２ａを押圧して開口部４２ａ内へ押し込み、切断刃４４にグランド線２ａを押し付けることにより、他の平角導体２を切断したり損傷させてしまうような不具合なく、切断対象のグランド線２ａだけを的確に切断することができる。大掛かりなプレス機などの設備は必要ではなく、設備費を極力抑えることができ、作業者によって手動で簡単に切断することができる。
【００５６】
導体切断工程において、窓部６におけるグランド線２ａの両側の絶縁フィルム３をグランド線２ａに沿って予め切断しておくので、切断対象のグランド線２ａだけを押圧部材５１によって押圧して開口部４２ａ内へ押し込んで円滑に切断することができる。
また、開口部４２ａに対してグランド線２ａが位置ずれしていると、押圧部材５１によってグランド線２ａが開口部４２ａへ押し込まれず、グランド線２ａが偏って切断されたり、グランド線２ａ以外の平角導体２が開口部４２ａへ押し込まれて切断されるような不具合もない。
【００５７】
載置板４２をゴムからなる弾性材料から形成された台座４１上に設け、切断刃４４を台座４１に形成したスリット４３に配置して切断刃４４を覆っているので、フラットケーブル１Ｂが不用意に切断刃４４に接触することによる損傷を防止することができ、高い安全性を確保することができる。
【００５８】
保持部材５２に複数の押圧部材５１を取り付けた押圧部３３を用いることにより、複数のグランド線２ａを同時に切断することができ、作業性を大幅に向上させることができる。
また、グランド線２ａの切断対象が変更されても、保持部材５２への押圧部材５１の取り付け位置を変更することにより、極めて容易に、切断対象の平角導体２に対応させて押圧部材５１を配置させて切断することができる。または、保持部材５２に対する押圧部材５１の取り付け位置が異なる押圧部３３に変更しても、グランド線２ａの切断対象の変更に対応することができる。
【００５９】
なお、複数のグランド線２ａを切断する場合、上記実施形態のように、それぞれのグランド線２ａに対応する複数の押圧部材５１によって一括してそれぞれのグランド線２ａを押圧して切断したが、フラットケーブル１Ｂの位置をずらしながら、一つの押圧部材５１を用いてそれぞれのグランド線２ａを押圧して切断しても良い。
また、切断対象のグランド線２ａが複数隣接する場合は、開口部４２ａの幅寸法を全ての切断対象のグランド線２ａを含む幅以上とし、さらに、押圧部材５１の幅寸法を、これらグランド線２ａを一括して押圧可能な幅寸法としても良い。これにより、押圧部材５１によって隣接する複数の切断対象のグランド線２ａを一度に切断することができる。
【００６０】
また、１本のグランド線２ａを押圧する押圧部材５１としては、グランド線２ａの幅Ｗ１以上の幅寸法を有することが好ましいが、隣接する平角導体２との接触を回避すべく、平角導体２の配列ピッチＰよりも狭くする必要がある。
なお、切断具３１の切断台３２としては、上面の板が載置板４２とされた箱を備え、この箱の内部に台座４１及び切断刃４４を収容しても良い。このようにすると、載置板４２と切断刃４４とを容易に相対的に位置決めすることができる。
【００６１】
また、上記実施形態では、窓部６をシールドフラットケーブル１の片面に設けたが、両面に設けても良い。この場合、グランド線２ａの両側の絶縁フィルム３を予め切断する工程は不要となる。
なお、窓部６を両面に設けた場合には、グランド線２ａ以外の平角導体２がシールドフィルム７に導通しないように、グランド線２ａを折り曲げて一方の第１絶縁フィルム３上に露出させた後に第２絶縁フィルム１１を両面に貼着する。
また、一方の面に複数の窓部６を設けても良い。
【００６２】
また、折り返し部２ｂを設ける面はどちらでも良く、両方の面に設けても良い。また、折り返し部２ｂが片面のみに設けられている場合には、シールド層９を折り返し部２ｂがある側のみに設けても良い。
また、導体露出部１５を設ける面も適宜変更でき、折り返し部２ｂと同じ側の面でも反対側の面でも良い。また、シールドフラットケーブル１の両端で導体露出部１５を設ける面を逆にすることもできる。また、導体露出部１５の裏側の端末補強テープ１４は、設けなくても良い。
【００６３】
また、上記実施形態では、窓部６の幅Ｗ３を、全ての平角導体２に第１絶縁フィルム３を貼着しない幅としているが、並列ピッチＰ以上であってグランド線２ａのみを露出させる幅とすることもできる。その場合には、窓部６においてグランド線２ａ以外の平角導体２が露出されないため、第２絶縁フィルム１１を設けなくても良い。
【００６４】
また、上記実施形態では、折り返し工程前に長尺フラットケーブル１Ａを切断して個々のフラットケーブル１Ｂとする切断工程を行っているが、折り返し工程後やシールド層貼着工程後に切断工程を行っても良い。
【００６５】
なお、グランド線を積層させて配置し、導体露出部で外側のグランド線を折り返してシールド層に接続するシールドフラットケーブルもあるが、その場合は上記実施形態のように連続メッキを施しても積層させた内側のグランド線部分にメッキを施すことができないため、短尺に切断してグランド線を折り返した後にメッキを行う必要がある。それに対して、上記実施形態のシールドフラットケーブル１は、連続メッキによって効率的にメッキを施すことができる。
【符号の説明】
【００６６】
１：シールドフラットケーブル、１Ｂ：フラットケーブル、２：平角導体、２ａ：グランド線、３：第１絶縁フィルム（絶縁フィルム）、６：窓部、９：シールド層、４１：台座、４２：載置板、４２ａ：開口部、４３：スリット、４４：切断刃、５１：押圧部材
【図１】
0005446742.tif 000002
【図２】
0005446742.tif 000003
【図３】
0005446742.tif 000004
【図４】
0005446742.tif 000005
【図５】
0005446742.tif 000006
【図６】
0005446742.tif 000007
【図７】
0005446742.tif 000008
【図８】
0005446742.tif 000009
【図９】
0005446742.tif 000010
【図１０】
0005446742.tif 000011
【図１１】
0005446742.tif 000012
【図１２】
0005446742.tif 000013
【図１３】
0005446742.tif 000014
【図１４】
0005446742.tif 000015
【図１５】
0005446742.tif 000016
【図１６】
0005446742.tif 000017
【図１７】
0005446742.tif 000018
【図１８】
0005446742.tif 000019
【図１９】
0005446742.tif 000020
【図２０】
0005446742.tif 000021